(57)【要約】  結合できる動画データであるか否かを直感的に把握することができる撮像装置、表示方法およびプログラムを提供する。撮像装置１は、第１動画モードで撮像部２によって生成された動画データに対応する動画または第２動画モードで撮像部２によって生成された動画データに対応する動画を代表するサムネイルを生成するサムネイル生成部７４と、サムネイル生成部７４が生成したサムネイルを第１動画モードと第２動画モードとで識別可能に表示部３に表示させる表示制御部７６と、を備える。
2016125318.tif 000002
【特許請求の範囲】
【請求項１】
被写体を連続的に撮像し、該被写体の動画データを生成可能な撮像部と、
前記動画データに対応する動画を表示可能な表示部と、
撮影時刻が異なる別の前記動画データを結合可能な動画モードで前記撮像部に動画撮影を実行させる撮影制御部と、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成部と、
前記サムネイル生成部が生成した前記サムネイルを前記表示部に表示させる表示制御部と、
を備えたことを特徴とする撮像装置。
【請求項２】
前記撮像部に動画撮影の開始を指示する開始信号および前記撮像部に動画撮影の終了を指示する終了信号の入力を受け付ける操作部をさらに備え、
前記動画モードは、前記操作部が前記開始信号の入力を受け付けてから前記終了信号の入力を受け付けるまで前記撮像部に前記被写体を連続的に撮像させて前記動画データを生成させる第１動画モード、または前記操作部から前記開始信号が入力されてから予め設定された時間だけ前記撮像部に前記被写体を連続的に撮像させて前記動画データを生成させる第２動画モードであって、異なる撮影時刻に前記撮像部によって生成された別の前記動画データを結合可能な第２動画モードと、を含み、
前記撮影制御部は、前記操作部が前記開始信号の入力を受け付けた場合、前記第１動画モードまたは前記第２動画モードで前記撮像部に動画撮影を開始させ、
前記サムネイル生成部は、前記第２動画モードで前記撮像部が前記動画データを生成した場合、前記サムネイルを生成し、前記第１動画モードで前記撮像部が前記動画データを生成した場合、前記サムネイルを生成後、該サムネイルにおける前記リサイズ画像を含む領域に対して、トリミング処理を行うことによってトリミング画像データを生成し、該トリミング画像データに対して、前記表示領域を覆う領域まで拡大するリサイズ処理を行うことによって前記第１動画モードで撮影された前記動画データを代表する第１動画サムネイルを生成することを特徴とする請求項１に記載の撮像装置。
【請求項３】
前記表示制御部は、前記サムネイルに前記第１動画モードと前記第２動画モードとで識別可能な情報を付加して前記表示部に表示させることを特徴とする請求項２に記載の撮像装置。
【請求項４】
前記第２動画モードで生成された撮影時刻が異なる別の前記動画データを結合する画像処理部をさらに備え、
前記サムネイル生成部は、前記画像処理部が前記第２動画モードで生成された別の前記動画データを結合した場合、前記第２動画モードで生成された別の前記動画データのうち、少なくとも撮影時刻が最も古い前記動画データおよび撮影時刻が最新の前記動画データそれぞれの前記サムネイルを合成した合成サムネイルを生成し、
前記表示制御部は、前記サムネイル生成部が生成した前記合成サムネイルを前記表示部に表示させることを特徴とする請求項２または３に記載の撮像装置。
【請求項５】
前記第１動画モードまたは前記第２動画モードを設定する設定部をさらに備え、
前記操作部は、前記第１動画モードまたは前記第２動画モードを設定する指示信号の入力を受け付け可能であり、
前記設定部は、前記操作部から前記指示信号の入力内容に応じて、前記第１動画モードまたは前記第２動画モードを設定し、
前記撮影制御部は、前記操作部が前記開始信号の入力を受け付けた場合、前記設定部の設定内容に応じた動画モードで前記撮像部に動画撮影を開始させることを特徴とする請求項２〜４のいずれか一つに記載の撮像装置。
【請求項６】
前記撮像部に前記動画データの生成を開始させる開始信号の入力を受け付ける操作部をさらに備え、
前記撮影制御部は、前記操作部が前記開始信号の入力を受け付けた場合、前記撮像部に予め設定された時間だけ前記動画データを生成させ、
前記表示制御部は、前記撮像部が前記動画データの生成を終了した場合、該動画データに対応する基準動画を前記表示部に再生して表示させた後に、前記基準動画と結合可能な結合動画データに対応する結合動画を前記表示部に再生して表示させることを特徴とする請求項１に記載の撮像装置。
【請求項７】
前記結合動画データは、前記基準動画の前に前記撮像部によって生成された前記動画データであり、
前記表示制御部は、前記基準動画と前記結合動画とを前記表示部に繰り返し再生して表示させることを特徴とする請求項６に記載の撮像装置。
【請求項８】
前記操作部は、前記表示部が表示する前記基準動画および前記結合動画の再生順を変更する変更信号の入力を受け付け可能であり、
前記表示制御部は、前記操作部が前記変更信号の入力を受け付けた場合、前記結合動画および前記基準動画の再生順を変更して前記表示部に表示させることを特徴とする請求項６または７に記載の撮像装置。
【請求項９】
当該撮像装置における複数の動画モードを設定する設定部を備え、
前記操作部は、前記撮像部に前記動画データの生成を終了させる終了信号の入力を受け付け可能であり、
前記複数の動画モードは、前記操作部が前記開始信号の入力を受け付けてから前記終了信号の入力を受け付けるまで前記撮像部に前記動画データを生成させる第１動画モードと、前記操作部から前記開始信号が入力されてから予め設定された時間だけ前記撮像部に前記動画データを生成させる第２動画モードであって、異なる撮影時刻に前記撮像部によって生成された複数の前記動画データを結合可能な第２動画モードと、を有し、
前記撮影制御部は、前記設定部が設定した設定内容に応じて、前記撮像部に前記動画データを生成させ、
前記表示制御部は、前記設定部によって当該撮像装置に前記第１動画モードが設定された場合、前記基準動画のみを前記表示部に再生させて表示させる一方、前記設定部によって当該撮像装置に前記第２動画モードが設定された場合、前記第２動画モードで前記撮像部が前記基準動画の前に生成した前記結合動画と前記基準動画とを前記表示部に再生させて表示させることを特徴とする請求項６〜８のいずれか一つに記載の撮像装置。
【請求項１０】
前記撮像部によって生成された前記基準動画と該基準動画の前に前記撮像部によって生成された前記結合動画とを結合する画像処理部をさらに備え、
前記操作部は、前記基準動画の再生を停止させる停止信号の入力を受け付け可能であり、
前記画像処理部は、前記操作部が前記停止信号の入力を受け付けた場合、前記基準動画と前記結合動画とを結合することを特徴とする請求項６〜９のいずれか一つに記載の撮像装置。
【請求項１１】
前記操作部は、前記結合動画と前記基準動画との結合を禁止して前記基準動画を削除する削除信号の入力を受け付け可能であり、
前記画像処理部は、前記操作部が前記削除信号の入力を受け付けた場合、前記基準動画を削除することを特徴とする請求項１０に記載の撮像装置。
【請求項１２】
被写体を連続的に撮像し、該被写体の動画データを生成可能な撮像部と、前記動画データに対応する動画を表示可能な表示部と、を備えた撮像装置が実行する表示方法であって、
撮影時刻が異なる別の前記動画データを結合可能な動画モードで前記撮像部に動画撮影を実行させる撮影制御ステップと、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、
前記サムネイル生成ステップにおいて生成した前記サムネイルを前記表示部に表示させる表示制御ステップと、
を含むことを特徴とする表示方法。
【請求項１３】
被写体を連続的に撮像し、該被写体の動画データを生成可能な撮像部と、前記動画データに対応する動画を表示可能な表示部と、を備えた撮像装置に、
撮影時刻が異なる別の前記動画データを結合可能な動画モードで前記撮像部に動画撮影を実行させる撮影制御ステップと、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、
前記サムネイル生成ステップにおいて生成した前記サムネイルを前記表示部に表示させる表示制御ステップと、
を実行させることを特徴とするプログラム。
【発明の詳細な説明】
【技術分野】
【０００１】
本発明は、被写体を撮像して該被写体の画像データを生成する撮像装置、表示方法およびプログラムに関する。
【背景技術】
【０００２】
近年、デジタルカメラ等の撮像装置において、関連性のある複数の動画データを一つの動画データとして編集する技術が知られている（特許文献１参照）。この技術では、撮影時刻の間隔が所定時間内にある複数の動画データを結合して一つの動画データに編集する。
【先行技術文献】
【特許文献】
【０００３】
【特許文献１】特開２００５−６０５９号公報
【発明の概要】
【発明が解決しようとする課題】
【０００４】
ところで、従来の撮像装置では、撮影した静止画データまたは動画データを再生表示する場合、静止画データおよび動画データそれぞれを代表するサムネイル（Thumbnail）を表示部に一覧表示し、ユーザによって選択されたサムネイルに対応する静止画データまたは動画データの再生表示を行っている。しかしながら、上述した特許文献１では、全ての動画のサムネイルの表示態様が同じであるため、表示部が表示するサムネイルに基づいて、ユーザが結合可能な動画データであるか否かを判断することができなかった。【０００５】
本発明は、上記に鑑みてなされたものであって、結合できる動画データであるか否かを直感的に把握することができる撮像装置、表示方法およびプログラムを提供することを目的とする。
【課題を解決するための手段】
【０００６】
上述した課題を解決し、目的を達成するために、本発明に係る撮像装置は、被写体を連続的に撮像し、該被写体の動画データを生成可能な撮像部と、前記動画データに対応する動画を表示可能な表示部と、撮影時刻が異なる別の前記動画データを結合可能な動画モードで前記撮像部に動画撮影を実行させる撮影制御部と、前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成部と、前記サムネイル生成部が生成した前記サムネイルを前記表示部に表示させる表示制御部と、を備えたことを特徴とする。【０００７】
また、本発明に係る表示方法は、被写体を連続的に撮像し、該被写体の動画データを生成可能な撮像部と、前記動画データに対応する動画を表示可能な表示部と、を備えた撮像装置が実行する表示方法であって、撮影時刻が異なる別の前記動画データを結合可能な動画モードで前記撮像部に動画撮影を実行させる撮影制御ステップと、前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、前記サムネイル生成ステップにおいて生成した前記サムネイルを前記表示部に表示させる表示制御ステップと、を含むことを特徴とする。【０００８】
また、本発明に係るプログラムは、被写体を連続的に撮像し、該被写体の動画データを生成可能な撮像部と、前記動画データに対応する動画を表示可能な表示部と、を備えた撮像装置に、撮影時刻が異なる別の前記動画データを結合可能な動画モードで前記撮像部に動画撮影を実行させる撮影制御ステップと、前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、前記サムネイル生成ステップにおいて生成した前記サムネイルを前記表示部に表示させる表示制御ステップと、を実行させることを特徴とする。
【発明の効果】
【０００９】
本発明によれば、結合できる動画データであるか否かを直感的に把握することができるという効果を奏する。
【図面の簡単な説明】
【００１０】
【図１】図１は、本発明の一実施の形態に係る撮像装置の機能構成を示すブロック図である。
【図２】図２は、本発明の一実施の形態に係る撮像装置が実行する処理の概要を示すフローチャートである。
【図３】図３は、本発明の一実施の形態に係る撮像装置の表示部が表示する静止画の一例を示す図である。
【図４】図４は、本発明の一実施の形態に係る撮像装置の動画をショートムービーモードに設定する際の概要を模式的に示す図である。
【図５】図５は、本発明の一実施の形態に係る撮像装置が実行するショートムービーの概要を模式的に示す図である。
【図６】図６は、本発明の一実施の形態に係る撮像装置のサムネイル生成部が生成する動画サムネイルの生成方法を模式的に説明する図である。
【図７】図７は、本発明の一実施の形態に係る撮像装置が実行するショートムービーの確認表示の一例を示す図である。
【図８】図８は、本発明の一実施の形態に係る撮像装置のサムネイル生成部が生成する通常動画サムネイルの生成方法を模式的に説明する図である。
【図９】図９は、本発明の一実施の形態に係る撮像装置の表示部が表示するサムネイル表示の一例を示す図である。
【図１０】図１０は、本発明の一実施の形態に係る撮像装置の表示部が表示する動画サムネイル表示の一例を示す図である。
【図１１】図１１は、本発明の一実施の形態に係る撮像装置の記録部が記録するアルバム毎のショートムービーのファイルを模式的に示す図である。
【図１２】図１２は、本発明の一実施の形態に係る撮像装置の画像処理部が複数のショートムービーを繋いで生成した動画のファイルを模式的に示す図である。
【図１３】図１３は、本発明の一実施の形態に係る撮像装置の表示部が表示する通常動画サムネイルの一例を示す図である。
【発明を実施するための形態】
【００１１】
以下、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。ここでは、短時間の動画を撮影して繋げる仕様の「ショートムービー」のモードについて重点的に説明するが、発明の本質としては、必ずしも、ショートに限る必要はない。
【００１２】
〔撮像装置の構成〕
図１は、本発明の一実施の形態に係る撮像装置の機能構成を示すブロック図である。図１に示す撮像装置１は、撮像部２と、表示部３と、タッチパネル４と、操作部５と、記録部６と、制御部７と、を備える。
【００１３】
撮像部２は、制御部７の制御のもと、被写体を撮像し、被写体の画像データを連続的に生成する。また、撮像部２は、被写体を連続的に撮像し、被写体の動画データを生成する。撮像部２は、被写体像を結像する光学系、該光学系が結像した被写体像を受光して光電変換を行うことによって被写体の画像データを生成するＣＣＤ（Charge  Coupled  Device）やＣＭＯＳ（Complementary  Metal  Oxide  Semiconductor）等の撮像素子と、光学系が集光した光の入射量を制限することで露出の調整を行う絞りと、撮像素子の状態を露光状態または遮光状態に設定するシャッタと、を有する。
【００１４】
表示部３は、撮像部２が生成した画像データに対応する画像、撮像部２が生成した動画データに対応する動画または撮像装置１に関する各種の情報を表示する。また、表示部３は、記録部６が記録する画像データに対応する画像を再生して表示する。表示部３は、液晶または有機ＥＬ（Electro  Luminescence）等の表示パネルを用いて構成される。
【００１５】
タッチパネル４は、表示部３の表示領域に重畳して設けられ、外部からの物体が接触した接触位置に応じた信号の入力を受け付け、この信号を制御部７へ出力する。
【００１６】
操作部５は、撮像装置１の各種操作に関する信号の入力を受け付ける。操作部５は、少なくとも静止画撮影を指示するレリーズ信号の入力を受け付けるレリーズスイッチ５１と、撮像部２に動画撮影の開始を指示する開始信号および撮像部２に動画撮影の終了を指示する終了信号の入力を受け付ける動画スイッチ５２と、撮像装置１の各種の操作信号の入力を受け付ける十字スイッチ５３と、十字スイッチ５３によって選択された設定等を決定する指示信号の入力を受け付けるＯＫスイッチ５４と、を有する。十字スイッチ５３およびＯＫスイッチ５４は、動画スイッチ５２が開始信号の入力を受け付けてから終了信号の入力を受け付けるまで撮像部２に被写体を連続的に撮像させて動画データを生成させる第１動画モード、または動画スイッチ５２から開始信号が入力されてから予め設定された時間（例えば４秒）だけ撮像部２に被写体を連続的に撮像させて動画データを生成させる第２動画モードであって、異なる撮影時刻に第２動画モードで撮像部２によって生成された複数の動画データを結合可能な第２動画モードを設定する指示信号の入力を受け付ける。さらに、十字スイッチ５３およびＯＫスイッチ５４は、表示部３が表示する直前動画および最新動画の再生順を指示する指示信号の入力を受け付ける。
【００１７】
記録部６は、撮像部２が生成した画像データまたは撮像装置１に関する各種情報を記録する。記録部６は、撮像装置１が実行するプログラムを記録するプログラム記録部６１と、静止画データを記録する静止画データ記録部６２と、所定の時間だけ撮影された動画データであって、異なる撮影時刻で撮影され、特殊効果処理、フレームレートおよび動画フォーマットが同じ動画データと結合可能な結合動画データ（以下、「ショートムービー」という）を記録するショートムービー記録部６３と、動画データを記録する動画データ記録部６４と、を有する。ここで、フレームレートとは、１５ｆｐｓ、２０ｆｐｓ、３０ｆｐｓ、５０ｆｐｓおよび６０ｆｐｓ等である。また、動画フォーマットとは、Ｈ．２６４、ＡＶＣＨＤ方式、ＭＰＥＧ４方式、ＡＶＩ方式およびＭＯＶ形式等である。さらに、特殊効果処理とは、後述する画像処理部７１による複数の画像処理を組み合わせて視覚的な効果を生じさせる処理である。ここで、複数の画像処理とは、ソフトフォーカス処理、シェーディング処理、合成処理、ＨＤＲ処理および彩度強調処理等である。記録部６は、撮像装置１の外部から着脱自在に装着されるメモリカード、揮発性メモリおよび不揮発性メモリ等を用いて構成される。また、ショートムービー記録部６３は、特殊効果処理の種別、フレームレートおよび動画フォーマットの組み合わせ毎に生成された複数のアルバム（フォルダ）を有する。
【００１８】
制御部７は、撮像装置１を構成する各部を統括的に制御する。制御部７は、タッチパネル４から入力される信号または操作部５から入力される操作信号に基づいて、撮像装置１を構成する各部を制御する。制御部７は、ＣＰＵ（Central  Processing  Unit）等を用いて構成される。ここで、制御部７の詳細な構成について説明する。制御部７は、画像処理部７１と、設定部７２と、撮影制御部７３と、サムネイル生成部７４と、記録制御部７５と、表示制御部７６と、を有する。
【００１９】
画像処理部７１は、撮像部２が生成した画像データに対して所定の画像処理を行う。ここで、所定の画像処理とは、少なくともＡ／Ｄ変換処理、オプティカルブラック減算処理、ホワイトバランス調整処理、撮像部２の撮像素子がベイヤー配列の場合には画像データの同時化処理、カラーマトリクス演算処理、γ補正処理、色再現処理およびエッジ強調処理等を含む基本の画像処理を行う。また、画像処理部７１は、撮影時刻が異なる複数のショートムービーのデータを結合することによって一つの動画データを生成する。また、画像処理部７１は、画像データまたは動画データに対して、複数の画像処理を組み合わせることによって、視覚的な効果を生じさせる特殊効果処理を実行する。
【００２０】
設定部７２は、動画スイッチ５２から開始信号が入力されてから終了信号が入力されるまで撮像部２に被写体を連続的に撮影させて第１動画データを生成させる第１動画モード（以下、単に「通常動画モード」という）と、動画スイッチ５２から開始信号が入力されてから予め設定された時間（例えば４秒）だけ撮像部２に被写体を連続的に撮影させて第２動画データを生成させる第２動画モードであって、異なる撮影時刻に撮像部２によって生成された複数のショートムービー（結合動画データ）を結合可能な第２動画モード（以下、単に「ショートムービーモード」という）と、を設定する。具体的には、操作部５の操作に応じて、設定部７２が撮像装置１の動画モードを通常動画モードまたはショートムービーモードに設定する。
【００２１】
撮影制御部７３は、レリーズスイッチ５１からレリーズ信号が入力された場合、撮像部２に静止画撮影を実行させる。ここで、撮像部２における静止画撮影とは、撮像部２が出力した画像データに対し、画像処理部７１が所定の画像処理を施す動作をいう。このように処理が施された静止画データは、撮影制御部７３の制御のもと、静止画データ記録部６２に記録される。また、撮影制御部７３は、動画スイッチ５２から動画開始が入力された場合、設定部７２の設定内容に応じた動画モードで撮像部２に動画撮影を開始させる。具体的には、撮影制御部７３は、設定部７２によって撮像装置１の動画モードが通常動画モードに設定されている場合、所定のフレームレートおよび動画フォーマットに従って、動画スイッチ５２が開始信号の入力を受け付けてから動画スイッチ５２が終了信号の入力を受け付けるまで撮像部２に動画を撮影させる通常動画モードの撮影を実行させる。これに対して、撮影制御部７３は、設定部７２によって撮像装置１の動画モードがショートムービーモードに設定されている場合、所定のフレームレートおよび動画フォーマットに従って、予め設定された時間（例えば４秒）だけ撮像部２に動画を撮影させるショートムービーモードの撮影を実行させる。通常動画モードで撮影された第１動画データ（以下、「通常動画データ」という）は、画像処理部７１によって画像処理が施された後、動画データ記録部６４に記録される。これに対して、ショートムービーモードで撮影されたショートムービーは、画像処理部７１によって画像処理が施された後、ショートムービー記録部６３に記録される。
【００２２】
サムネイル生成部７４は、撮像部２の動画撮影が終了した場合、撮像部２が生成した動画データに基づいて、この動画データを代表するサムネイルを生成する。具体的には、サムネイル生成部７４は、通常動画モードで生成された通常動画データに対応する通常動画またはショートムービーモードで生成されたショートムービーに対応するショートムービー動画それぞれを代表するサムネイルを生成する。より具体的には、サムネイル生成部７４は、通常動画データまたはショートムービーに対してリサイズ処理を行ってリサイズ画像データを生成し、このリサイズ画像データと、撮影時刻が異なるショートムービーを結合可能なことを示す情報を表示する表示領域を有するテンプレートと、を合成することによってサムネイルを生成する。また、サムネイル生成部７４は、サムネイルにおけるリサイズ画像データに対応するリサイズ画像に対して、トリミング処理を行ってトリミング画像データを生成し、このトリミング画像データに撮影時刻が異なるショートムービーを結合可能なことを示す情報の表示領域を覆う領域まで拡大するリサイズ処理を行ってテンプレートに合成することによって通常動画モードで撮影された通常動画データを代表する第１動画サムネイル（以下、「通常動画サムネイル」という）を生成する。
【００２３】
記録制御部７５は、撮像部２が生成したショートムービーに対して、フレームレートおよび動画フォーマットを判定し、ショートムービー記録部６３にフレームレートおよび動画フォーマットそれぞれに生成されたアルバム毎に記録（格納）する。
【００２４】
表示制御部７６は、表示部３の表示態様を制御する。具体的には、表示制御部７６は、撮像部２が生成した静止画データに対応する静止画を表示部３に表示させる。また、表示制御部７６は、サムネイル生成部７４が生成したサムネイルを通常動画モードとショートムービーモードとで識別可能に表示部３に表示させる。さらに、表示制御部７６は、サムネイル生成部７４が生成したサムネイルに通常動画モードとショートムービーモードとで識別可能な情報を付加して表示部３に表示させる。
【００２５】
また、表示制御部７６は、撮像部２によって撮影されたショートムービーに対応する基準動画を表示部３に表示させた後に、基準動画と結合可能なショートムービーに対応する結合動画を表示部３に再生して表示させる。具体的には、表示制御部７６は、撮像部２によって撮影されたショートムービーに対応する最新の基準動画の前に撮像部２によって生成されたショートムービーに対応する結合動画（直前動画）と、撮像部２によって撮影されたショートムービーに対応する基準動画（最新動画）と、を表示部３に繰り返し再生して表示させる。より具体的には、表示制御部７６は、ショートムービーに対応する基準動画を再生して表示した後、撮像部２によって撮影されたショートムービーに対応する結合動画を再生して表示部３に再生して表示させる。
【００２６】
〔撮像装置の処理〕
次に、撮像装置１が実行する処理について説明する。図２は、撮像装置１が実行する処理の概要を示すフローチャートである。
【００２７】
図２に示すように、まず、撮像装置１が撮影モードに設定されている場合（ステップＳ１０１：Ｙｅｓ）について説明する。この場合、表示制御部７６は、撮像部２が連続的に生成したライブビュー画像データに対応するライブビュー画像を表示部３に表示させる（ステップＳ１０２）。
【００２８】
続いて、レリーズスイッチ５１から静止画撮影の指示があった場合（ステップＳ１０３：Ｙｅｓ）、撮影制御部７３は、撮像部２に静止画撮影を実行させる（ステップＳ１０４）。この場合、画像処理部７１は、撮像部２が生成した画像データ（ＲＡＷデータ）に対して所定の画像処理を行う。
【００２９】
その後、撮像装置１は、静止画サムネイルを生成して静止画データ記録部６２に記録する（ステップＳ１０５）。この場合、サムネイル生成部７４は、撮像部２が生成した画像データに対して、リサイズ処理したサムネイルを生成し、記録制御部７５は、サムネイル生成部７４が生成したサムネイルと、画像処理部７１が画像処理を施した画像データと、を対応付けて静止画データ記録部６２に記録する。
【００３０】
続いて、表示制御部７６は、撮像部２が生成した静止画データに対応する静止画を所定時間（例えば３秒）だけ表示部３に表示させる（ステップＳ１０６）。具体的には、図３に示すように、表示制御部７６は、撮像部２が生成した静止画データに対応する静止画Ｐ１を表示部３に表示させる。
【００３１】
その後、操作部５を介して撮像装置１の電源がオフになった場合（ステップＳ１０７：Ｙｅｓ）、撮像装置１は、本処理を終了する。これに対して、操作部５を介して撮像装置１の電源がオフになっていない場合（ステップＳ１０７：Ｎｏ）、撮像装置１は、ステップＳ１０１へ戻る。
【００３２】
ステップＳ１０３において、レリーズスイッチ５１から静止画撮影の指示がなかった場合（ステップＳ１０３：Ｎｏ）、撮像装置１は、ステップＳ１０８へ移行する。
【００３３】
続いて、動画スイッチ５２から開始信号が入力される動画撮影操作があった場合（ステップＳ１０８：Ｙｅｓ）、撮影制御部７３は、撮像部２の動画撮影を開始する（ステップＳ１０９）。具体的には、撮影制御部７３は、記録部６に撮像部２が連続的に生成した画像データを格納する動画ファイルを生成させ、撮像部２に所定のフレームと動画フォーマットに従って動画撮影させるとともに、撮像部２が連続的に生成した画像データに対して画像処理部７１に画像処理を実行させて動画ファイルに記録させる。なお、フレームレートおよび動画フォーマットは、ユーザが操作部５を操作して所望のフレームレートおよび動画フォーマットを選択して設定することによって、撮像装置１に設定される。
【００３４】
その後、動画スイッチ５２から終了信号が入力される終了操作があった場合（ステップＳ１１０：Ｙｅｓ）、撮像装置１は、後述するステップＳ１１２へ移行する。これに対して、動画スイッチ５２に対して動画の終了操作がない場合（ステップＳ１１０：Ｎｏ）、撮像装置１は、後述するステップＳ１１１へ移行する。
【００３５】
ステップＳ１１１において、制御部７は、撮像装置１の動画がショートムービーで特定時間経過したか否かを判断する。制御部７によって撮像装置１の動画がショートムービーで特定時間経過したと判断された場合（ステップＳ１１１：Ｙｅｓ）、撮像装置１は、後述するステップＳ１１２へ移行する。これに対して、制御部７によって撮像装置１の動画がショートムービーで特定時間経過していないと判断された場合（ステップＳ１１１：Ｎｏ）、撮像装置１は、ステップＳ１１０へ戻る。
【００３６】
図４は、撮像装置１の動画をショートムービーモードに設定する際の概要を模式的に示す図である。図４に示すように、表示制御部７６は、操作部５が操作され、動画のモードを設定する指示信号が入力された場合、通常動画を設定する通常動画アイコンＨ１と、ショートムービーモードを設定するショートムービーアイコンＨ２とを表示部３に表示させる。ユーザは、操作部５の十字スイッチ５３を操作し、ショートムービーアイコンＨ２を選択し、ＯＫスイッチ５４を操作することによって、撮像装置１の動画モードをショートムービーモードまたは通常動画モードに設定する。なお、通常動画モードおよびショートムービーモードは、ユーザが動画撮影を開始する前に操作部５を操作することによって撮像装置１に設定される。
【００３７】
ここで、通常動画とは、動画スイッチ５２の操作によって動画データの記録を開始し、再度、動画スイッチ５２が操作された場合、動画データの記録を終了するモードである。また、ショートムービーモードとは、ユーザが動画スイッチ５２を一回押下した場合、予め設定された特定時間（例えば４秒間）だけ動画データを記録するモードであって、特殊効果処理、フレームレートおよび動画フォーマットの種類が同一であり、前回に撮影したショートムービーと、最新（今回）のショートムービーとを結合することによって一つの動画データとするモードである。具体的には、図５に示すように、ショートムービーは、フレームレートおよび動画フォーマットの種類が同じ場合、フレームレートおよび動画フォーマットの種類が同一であり、前回に撮影したショートムービーＳＭ１（フレームＦ１→Ｆ２→・・・→Ｆｎ（ｎは３以上の整数）と、最新のショートムービーＳＭ２（フレームＪ１→Ｊ２→・・・→Ｊｎ（ｎは３以上の整数）とを結合することによって一つの動画データＳＭ１０とする（図５（ａ）→図５（ｂ））。この場合、画像処理部７１は、ショートムービーＳＭ１とショートムービーＳＭ２とを結合することによって一つの動画データＳＭ１０を生成する。これにより、シーンが異なる短い時間の動画データを繋ぐことによって、メリハリがあるとともに、想像を超えた印象的な動画となる。なお、ここでは、単純化して、ショートムービーのみが繋がるような説明をしているが、ショートムービーの前後が通常動画であったり、静止画であったり、静止画を連続再生する場合もあることは言うまでもない。例えば、静止画がスライドショー的に連続再生されるような場合も、同様の考え方を適用してもよい。
【００３８】
図２に戻り、ステップＳ１１２以降の説明を続ける。
ステップＳ１１２において、撮影制御部７３は、撮像部２の動画撮影を終了する（ステップＳ１１２）。
【００３９】
続いて、サムネイル生成部７４は、動画データを構成する複数のフレームの画像データのうち、最初のフレーム（コマ）の画像データに基づいて、動画サムネイルを生成する（ステップＳ１１３）。
【００４０】
図６は、サムネイル生成部７４が生成する動画サムネイルの生成方法を模式的に説明する図である。図６に示すように、サムネイル生成部７４は、動画データを構成する複数のフレームの画像データのうち最初のフレームＪ１に対して表示領域および画像データを縮小するリサイズ処理を行ってリサイズ画像Ｗ１を生成し、このリサイズ画像Ｗ１を記録部６に記録されたテンプレートＴ１に合成することによって、動画サムネイルＢ１を生成する（図６（ａ）→図６（ｂ）→図６（ｃ））。ここで、テンプレートＴ１には、撮影時刻が異なるショートムービーを結合可能なことを示す情報を表示する表示領域Ｒ１（のりしろ領域）を有する。サムネイル生成部７４は、リサイズ画像Ｗ１の中心とテンプレートＴ１の中心とが一致するように合成することによって動画サムネイルＢ１を生成する。これにより、表示領域Ｒ１は、リサイズ画像Ｗ１の両端に設けられる。この結果、ユーザは、撮影時刻が異なる他のショートムービーを結合可能であることを直感的に把握することができる。なお、本実施の形態では、通常動画モードで撮影された動画データあっても、上述した動画サムネイルを生成する。また、本実施の形態では、撮影時刻が異なるショートムービーを結合可能なことを示す情報を黒塗りで表現したが、例えば文字や図形等であってもよい。さらに、撮影時刻が異なるショートムービーを結合可能なことを示す情報は、画像やリサイズ画像Ｗ１の一部を複製したものであってもよい。
【００４１】
その後、撮像装置１の動画モードがショートムービーモードに設定されている場合（ステップＳ１１４：Ｙｅｓ）、表示制御部７６は、撮像部２によって撮影されたショートムービーに対応する動画を繰り返し表示部３に再生して表示させる（ステップＳ１１５）。
【００４２】
図７は、撮像装置１が実行するショートムービーの確認表示の一例を示す図である。図７に示すように、表示制御部７６は、撮像部２によって撮影されたショートムービーに対応する最新動画ＳＭ２の前に撮像部２によって生成されたショートムービーに対応する動画ＳＭ１と、撮像部２によって撮影されたショートムービーに対応する最新動画ＳＭ２と、を表示部３に繰り返し再生して表示させる。
【００４３】
具体的には、表示制御部７６は、最新のショートムービーＳＭ２の前に撮像部２によって生成されたショートムービーＳＭ１（Ｆ１→Ｆ２→・・・→Ｆｎ）を再生して表示した後、撮像部２によって撮影された最新のショートムービーＳＭ２（フレームＪ１→Ｊ２→・・・→Ｊｎ）を再生して表示部３に再生して表示させる（図７（ａ）→図７（ｂ））。その後、ショートムービーＳＭ１およびショートムービーＳＭ２の再生回数が所定回数（例えば３回）を超えた場合、ショートムービーＳＭ１の前に撮像部２によって生成されたショートムービーＳＭ０（フレームＫ１→Ｋ２→・・・→Ｋｎ）を表示部３に再生して表示させた後に、ショートムービーＳＭ１およびショートムービーＳＭ２の再生順に表示部３に表示させる（図７（ｂ）→図７（ｃ））。これにより、ユーザは、撮影した最新のショートムービーの内容と、最新のショートムービーの直前に撮影したショートムービーの繋がり具合を直感的に把握することができる。
【００４４】
図７に示す状況下において、操作部５がショートムービーＳＭ０、ショートムービーＳＭ１およびショートムービーＳＭ２の再生順を指示する指示信号の入力を受け付けた場合、表示制御部７６は、操作部５からの指示信号に応じて、ショートムービーＳＭ０、ショートムービーＳＭ１およびショートムービーＳＭ２の再生順を変更して表示部３に表示させる。例えば、表示制御部７６は、十字スイッチ５３が操作され、ショートムービーＳＭ０，ショートムービーＳＭ１およびショートムービーＳＭ２の再生順を指示する指示信号の入力を受け付けた場合、操作部５からの指示信号に応じて、ショートムービーＳＭ０，ショートムービーＳＭ１およびショートムービーＳＭ２の再生順を変更して表示部３に表示させる。この状況下で、ＯＫスイッチ５４が操作され、ＯＫスイッチ５４が基準動画の再生を停止させる停止信号の入力を受け付けたとき、画像処理部７１は、ショートムービーＳＭ０，ショートムービーＳＭ１およびショートムービーＳＭ２の再生順にショートムービーＳＭ０〜ショートムービーＳＭ２を結合して結合画像データを生成する。例えば、画像処理部７１は、ショートムービーＳＭ０、ショートムービーＳＭ２およびショートムービーＳＭ１の順で結合して結合動画データを生成してショートムービー記録部６３に記録する。これにより、ユーザは、撮影した直後に、他のショートムービーの繋がり具合を見ながら、ショートムービーの編集操作を簡易に行うことができる。
【００４５】
なお、図７においては、表示制御部７６がショートムービーＳＭ１を再生して表示した後に、ショートムービーＳＭ２を再生して表示させていたが、例えばショートムービーＳＭ１およびショートムービーＳＭ２を並列させて表示部３に再生して表示させてもよいし、ショートムービーＳＭ１の表示領域を縮小し、この表示領域を縮小したショートムービーＳＭ１をショートムービーＳＭ２に重畳して表示部３に再生して表示させてもよい。いずれにせよ、確認でＮＧ時は、前に撮ったものを削除して、すぐに撮り直しが出来るというメリットがあり、撮影画像全体の質を向上させることができる。
【００４６】
また、図７において、表示制御部７６がショートムービーＳＭ１（結合動画）を表示部３に再生して表示した後に、ショートムービーＳＭ２（基準動画）を表示部３に再生して表示させる処理を繰り返し行っている場合において、操作部５がショートムービーＳＭ１とショートムービーＳＭ２との結合を禁止してショートムービーＳＭ２を削除する削除信号の入力を受け付けたとき、画像処理部７１は、ショートムービーＳＭ１（結合動画）とショートムービーＳＭ２（基準動画）との結合を中止してショートムービーＳＭ２（基準動画）を記録部６から削除するようにしてもよい。これにより、確認でＮＧ時は、前に撮ったものを削除して、すぐに撮り直しが出来るというメリットがあり、撮影画像全体の質を向上させることができる。さらに、ショートムービーＳＭ１に関連性を持たせることができる。なお、従来では、各動画データの内容に関わらず、直前の動画データに最新の動画データを自動的に結合しているため、ユーザが直前の動画データと最新の動画データに関連性を持たせて１つの動画データにしたい場合であっても、直前の動画データと最新の動画データとの繋がり具合を確認することができず、関連性を持たせることが難しかった。これに対して、本発明の一実施の形態によれば、今、撮影した画像そのものの確認と、あらかじめ取得されていた画像との比較をすぐに確認することができる。
【００４７】
続いて、操作部５が操作された場合（ステップＳ１１６：Ｙｅｓ）、撮像装置１は、後述するステップＳ１１７へ移行する。これに対して、操作部５が操作されていない場合（ステップＳ１１６：Ｎｏ）、撮像装置１は、ステップＳ１１５へ戻る。
【００４８】
ステップＳ１１７において、記録制御部７５は、サムネイル生成部７４が生成した動画サムネイルと画像処理部７１が画像処理を施した動画データとを対応付けて記録部６に記録する。この場合、記録制御部７５は、撮像装置１の動画モードが通常動画モードに設定されているとき、動画サムネイルと動画データとを対応付けて動画データ記録部６４に記録する一方、撮像装置１の動画モードがショートムービーモードに設定されているとき、動画サムネイルと動画データとを対応付けてショートムービー記録部６３に記録する。ステップＳ１１７の後、撮像装置１は、ステップＳ１０７へ移行する。
【００４９】
ステップＳ１１４において、撮像装置１の動画モードがショートムービーモードに設定されていない場合（ステップＳ１１４：Ｎｏ）、表示制御部７６は、撮像部２によって撮影された通常動画の動画データに対応する動画の最初のフレーム（例えば図５のフレームＦ１を参照）を所定時間（例えば３秒間）だけ表示部３に表示させる（ステップＳ１１８）。ステップＳ１１８の後、撮像装置１は、ステップＳ１１７へ移行する。
【００５０】
ステップＳ１０８において、動画スイッチ５２から開始信号が入力される動画撮影操作がなかった場合（ステップＳ１０８：Ｎｏ）、撮像装置１は、ステップＳ１０７へ移行する。
【００５１】
次に、撮像装置１が撮影モードに設定されておらず（ステップＳ１０１：Ｎｏ）、撮像装置１が再生モードに設定されている場合（ステップＳ１１９：Ｙｅｓ）について説明する。このとき、表示制御部７６は、記録部６に記録された画像データまたは動画データの静止画サムネイルまたは動画サムネイルを表示部３に順次表示するサムネイル表示を開始する（ステップＳ１２０）。
【００５２】
続いて、サムネイルを表示する画像ファイルが静止画である場合（ステップＳ１２１：Ｙｅｓ）、表示制御部７６は、画像ファイルに記録された静止画サムネイルを表示部３に表示させる（ステップＳ１２２）。ステップＳ１２２の後、撮像装置１は、後述するステップＳ１２７へ移行する。
【００５３】
ステップＳ１２１において、サムネイルを表示する画像ファイルが静止画でない場合（ステップＳ１２１：Ｎｏ）、撮像装置１は、ステップＳ１２３へ移行する。
【００５４】
続いて、サムネイルを表示する画像ファイルに記録された動画データがショートムービーである場合（ステップＳ１２３：Ｙｅｓ）、表示制御部７６は、ショートムービーの動画サムネイル（例えば図６（ｃ）を参照）を表示部３に表示させる（ステップＳ１２４）。ステップＳ１２４の後、撮像装置１は、ステップＳ１２７へ移行する。
【００５５】
ステップＳ１２３において、サムネイルを表示する画像ファイルに記録された動画データがショートムービーでない場合（ステップＳ１２３：Ｎｏ）、サムネイル生成部７４は、画像ファイルに記録された動画サムネイルに基づいて、通常動画サムネイルを生成する（ステップＳ１２５）。
【００５６】
図８は、サムネイル生成部７４が生成する通常動画サムネイルの生成方法を模式的に説明する図である。図８に示すように、サムネイル生成部７４は、動画サムネイルＢ１のリサイズ画像Ｗ１を含む領域に対してトリミング処理を行って切り出し、このリサイズ画像Ｗ１に対して、撮影時刻が異なる他のショートムービーと結合可能なことを示す表示領域Ｒ１を覆う領域まで拡大するリサイズ処理を行うことによって通常動画サムネイルＭ１０を生成する（図８（ａ）→図８（ｂ））。これにより、一つの動画サムネイルを使い回すことによって、撮影時における処置（記録処理）を簡略化することができる。さらに、ユーザは、動画サムネイルと通常動画サムネイルとの表示態様が異なるので、ショートムービーと通常動画とをより直感的に把握することができる。また、サムネイル生成部７４は、ユーザが操作部５またはタッチパネル４を操作することによって、ショートムービーを通常動画に切り換えた場合、動画サムネイルＢ１のリサイズ画像Ｗ１を含む領域に対してトリミング処理を行って切り出し、このリサイズ画像Ｗ１に対して、撮影時刻が異なる他のショートムービーと結合可能なことを示す表示領域Ｒ１を覆う領域まで拡大するリサイズ処理を行うことによって通常動画サムネイルＭ１０を生成してもよい。
【００５７】
続いて、表示制御部７６は、サムネイル生成部７４が生成した通常動画サムネイルを表示部３に表示させる（ステップＳ１２６）。ステップＳ１２６の後、撮像装置１は、ステップＳ１２７へ移行する。
【００５８】
その後、制御部７は、サムネイル表示の一覧が終了したか否かを判断する（ステップＳ１２７）。具体的には、図９に示すように、制御部７は、表示部３の表示領域上に所定の枚数（例えば４枚または２５枚）のサムネイル（静止画サムネイルＰ１，静止画サムネイルＰ２、動画サムネイルＢ１および通常動画サムネイルＭ１０）を表示したか否かを判断することによって、サムネイル表示の一覧が終了したか否かを判断する。この場合、表示制御部７６は、動画サムネイルＢ１および通常動画サムネイルＭ１０それぞれを識別可能な情報としてアイコンＨ１０およびアイコンＨ１１を動画サムネイルＢ１および通常動画サムネイルＭ１０それぞれの表示領域に重畳して表示部３に表示させる。これにより、ショートムービーと通常動画とをより直感的に把握することができる。制御部７によってサムネイル表示の一覧が終了したと判断された場合（ステップＳ１２７：Ｙｅｓ）、撮像装置１は、後述するステップＳ１２９へ移行する。これに対して、制御部７によってサムネイル表示の一覧が終了していないと判断された場合（ステップＳ１２７：Ｎｏ）、制御部７は、次のサムネイルを表示するため、次の画像ファイルを記録部６から取得する（ステップＳ１２８）。ステップＳ１２８の後、撮像装置１は、ステップＳ１２１へ戻る。
【００５９】
ステップＳ１２９において、操作部５が操作され、表示部３が表示する複数のサムネイルのいずれか一つが選択された場合（ステップＳ１２９：Ｙｅｓ）、表示制御部７６は、選択されたサムネイルに対応する画像ファイルを表示部３に再生して表示させる（ステップＳ１３０）。この場合において、ユーザが操作部５またはタッチパネル４を操作することによって、ショートムービーを通常動画に切り換えたとき、サムネイル生成部７４は、動画サムネイルＢ１のリサイズ画像Ｗ１を含む領域に対してトリミング処理を行って切り出し、このリサイズ画像Ｗ１に対して、撮影時刻が異なる他のショートムービーと結合可能なことを示す表示領域Ｒ１を覆う領域まで拡大するリサイズ処理を行うことによって通常動画サムネイルＭ１０を生成し、記録制御部７５がサムネイル生成部７４によって生成された通常動画サムネイルＭ１０と操作部５またはタッチパネル４を介して選択されたショートムービーとを対応付けて、通常動画データとして動画データ記録部６４に記録してもよい。さらに、記録制御部７５は、通常動画データに切り換えたショートムービーをショートムービー記録部６３のアルバムから削除してもよい。ステップＳ１３０の後、撮像装置１は、ステップＳ１３１へ移行する。
【００６０】
続いて、操作部５が操作され、再生モードを終了する場合（ステップＳ１３１：Ｙｅｓ）、撮像装置１は、ステップＳ１０７へ移行する。これに対して、操作部５が操作されず、再生モードを終了しない場合（ステップＳ１３１：Ｎｏ）、撮像装置１は、ステップＳ１２０へ戻る。
【００６１】
ステップＳ１２９において、操作部５が操作されず、表示部３が表示する複数のサムネイルのいずれか一つが選択されなかった場合（ステップＳ１２９：Ｎｏ）、撮像装置１は、ステップＳ１３１へ移行する。
【００６２】
次に、撮像装置１が撮影モードに設定されておらず（ステップＳ１０１：Ｎｏ）、撮像装置１が再生モードに設定されていない場合（ステップＳ１１９：Ｎｏ）について説明する。このとき、撮像装置１は、ステップＳ１３２へ移行する。
【００６３】
続いて、撮像装置１が編集モードに設定されている場合（ステップＳ１３２：Ｙｅｓ）、撮像装置１は、後述するステップＳ１３３へ移行する。これに対して、撮像装置１が編集モードに設定されていない場合（ステップＳ１３２：Ｎｏ）、撮像装置１は、ステップＳ１０７へ移行する。
【００６４】
ステップＳ１３３において、複数のショートムービーを編集する場合（ステップＳ１３３：Ｙｅｓ）、表示制御部７６は、複数のショートムービーそれぞれに対応する動画サムネイルを表示部３に表示させる（ステップＳ１３４）。具体的には、図１０に示すように、表示制御部７６は、複数のショートムービーそれぞれに対応する動画サムネイルＢ１〜Ｂ４を表示部３に表示させる。この場合、表示制御部７６は、ショートムービー記録部６３にフレームレートおよび動画フォーマットそれぞれに生成されたアルバム毎に記録されたショートムービーの動画サムネイルを表示部３に表示させる。例えば、図１１に示すように、表示制御部７６は、ショートムービー記録部６３にフレームレートおよび動画フォーマットそれぞれに生成されたアルバムＡ１に記録されたショートムービーのファイルＷ〜Ｚの動画サムネイルＢ１〜Ｂ４を表示部３に表示させる。ファイルＷ〜Ｚの各々には、動画サムネイルＢ１〜Ｂ４およびショートムービーとしての動画データＷ〜Ｚがそれぞれ記録されている。
【００６５】
続いて、タッチパネル４または操作部５が操作されることによって、ショートムービーの編集操作があった場合（ステップＳ１３５：Ｙｅｓ）、画像処理部７１は、ショートムービーの編集処理を実行する（ステップＳ１３６）。具体的には、図１１および図１２に示すように、画像処理部７１は、表示部３に表示された複数の動画サムネイルのうち、タッチパネル４または操作部５によって選択された複数のショートムービーに対応するファイルＷ〜ファイルＹそれぞれに記録された動画データＷ〜Ｙを結合する動画処理を実行する。この場合、画像処理部７１は、撮影時刻が古い順に動画を結合する。もちろん、画像処理部７１は、操作部５またはタッチパネル４の操作に応じて、動画を結合する順番を変更してもよいし、選択したショートムービーを他のアルバムのショートムービーの動画データに結合してもよい。
【００６６】
その後、サムネイル生成部７４は、通常動画サムネイルを生成する（ステップＳ１３７）。具体的には、図１３に示すように、サムネイル生成部７４は、画像処理部７１によって結合された複数のショートムービーの動画サムネイルのうち、少なくとも、最初のショートムービーのフレームデータＦ２１、中間のショートムービーのフレームデータＦ２２および最後のショートムービーのフレームデータＦ３０に基づいて、通常動画サムネイルＭ１００を生成する。なお、サムネイル生成部７４は、図１０に示すショートムービーの動画サムネイルＢ１〜Ｂ３に基づいて、通常動画サムネイルＭ１００を生成してもよい。
【００６７】
続いて、表示制御部７６は、サムネイル生成部７４が生成した通常動画サムネイルを表示部３に表示させる（ステップＳ１３８）。具体的には、図１３に示すように、サムネイル生成部７４が生成した通常動画サムネイルＭ１００を表示部３に表示させる。この場合、画像処理部７１は、ショートムービーを結合させた動画データ（動画データＷ〜Ｙ）と、サムネイル生成部７４が生成した通常動画サムネイルＭ１００とを対応付けた動画ファイルＧ１００（図１２を参照）を生成し、この動画ファイルＧ１００を動画データ記録部６４に記録する。これにより、ユーザは、ショートムービーを結合した動画データの内容を直感的に把握することができる。ステップＳ１３８の後、撮像装置１は、ステップＳ１０７へ移行する。
【００６８】
ステップＳ１３５において、ショートムービーの編集操作がない場合（ステップＳ１３５：Ｎｏ）、撮像装置１は、ステップＳ１０７へ移行する。
【００６９】
ステップＳ１３３において、複数のショートムービーを編集しない場合（ステップＳ１３３：Ｎｏ）、撮像装置１は、その他の編集を行う（ステップＳ１３９）。例えば、撮像装置１は、静止画データ記録部６２に記録された静止画データに対応する静止画のトリミング処理、コントラスト、彩度または色相を変更する画像処理、記録部６から静止画データや動画データを削除する削除処理等を行う。ステップＳ１３９の後、撮像装置１は、ステップＳ１０７へ移行する。
【００７０】
以上説明した本発明の一実施の形態によれば、表示制御部７６がサムネイル生成部７４によって生成された通常動画モードで生成された通常動画データに対応する通常動画のサムネイルおよびショートムービーモードで生成されたショートムービーに対応するショートムービー動画のサムネイルを識別可能に表示部３に表示させるので、結合できる動画データであるか否かを直感的に把握することができる。
【００７１】
また、本発明の一実施の形態によれば、表示部３に複数のサムネイルを一覧表示させる場合、表示制御部７６がサムネイルに通常動画モードとショートムービーモードとで識別可能な情報として通常動画アイコンＨ１、ショートムービーアイコンＨ２を付加して表示部３に表示させるので、結合できる動画データであるか否かを直感的に把握することができる。
【００７２】
また、本発明の一実施の形態によれば、サムネイル生成部７４が通常動画データまたはショートムービーの最初のフレームデータに対してリサイズ処理を行って生成したリサイズ画像データと、撮影時刻が異なるショートムービーを結合可能なことを示す情報を有するテンプレートと、を合成した動画サムネイルを生成する。これにより、通常動画モードおよびショートムービーモードに関わらず、一つの動画サムネイルのみを生成するので、記録時における撮像装置１の処理を単純化することができるとともに、ファイルの容量を削減することができる。
【００７３】
また、本発明の一実施の形態によれば、ショートムービーから通常動画に変更する場合、サムネイル生成部７４が動画サムネイルにおけるリサイズ画像データに対応するリサイズ画像を含む領域に対して、トリミング処理を行ってトリミング画像データを生成し、このトリミング画像データに表示領域を覆う領域まで拡大するリサイズ処理を行うことによって、通常動画モードで撮影された通常動画データを代表する通常動画サムネイルを生成する。これにより、撮影時にモード毎のサムネイルを生成する必要がないので、撮像装置１の処理を単純化することができるとともに、ファイルの容量を削減することができる。
【００７４】
また、本発明の一実施の形態によれば、サムネイル生成部７４が画像処理部７１によって撮影時刻が異なる複数のショートムービーが結合された場合、複数のショートムービーのうち、少なくとも最初のショートムービーおよび最後のショートムービーそれぞれのサムネイルを合成した合成サムネイルを生成し、表示制御部７６がサムネイル生成部７４によって生成された合成サムネイルを表示部３に表示させるので、ユーザは、連結したショートムービーの内容を直感的に把握することができる。
【００７５】
また、本発明の一実施の形態によれば、表示制御部７６が撮像部２によって生成された最新のショートムービーの直前のショートムービーと最新のショートムービーとを表示部３に再生して表示させるので、直前のショートムービーと最新のショートムービーとの繋がり具合を直感的に把握することができる。
【００７６】
また、本発明の一実施の形態によれば、表示制御部７６が直線のショートムービーを表示部３に再生して表示させた後に、最新のショートムービーを表示部３に再生して表示させるので、直前のショートムービーと最新のショートムービーとの繋がり具合を直感的に把握することができ、直前のショートムービーと最新のショートムービーとを関連性を持たせた１つの動画データとして得ることができる。
【００７７】
また、本発明の一実施の形態によれば、表示部３が直前のショートムービーと最新のショートムービーとを再生して表示している場合において、操作部５から直前のショートムービーおよび最新のショートムービーそれぞれの再生順を変更する変更信号の入力を受け付けたとき、表示制御部７６が直前のショートムービーと最新のショートムービーとの再生順を変更して表示部３に表示させるので、撮影した直後にショートムービーの編集操作を行うことができる。ここでは、確認が短時間でできるショートムービーで説明したが、通常ムービーの撮影と接続確認に利用可能である。ショートでなくとも、早送りやダイジェスト確認なら高速での確認が可能なので、これに限るものではない。また、接続される方の画像もダイジェスト化して確認してもよい。また、静止画が連続して再生されるようなスライドショー的な楽しみ方を前提とした撮影でも、前の画像との比較や対照は重要な確認ポイントなので、これらを含めて、「撮影されたものの確認」と「接続部のみの確認」に応用してもよく、本願の「撮影そのものの確認」と「繋がりとしての確認」の二つを満たす確認の仕方や工夫が適用可能となる。確認でＮＧ時は、前に撮ったものを削除して、すぐに撮り直しが出来るというメリットがある。
【００７８】
（その他の実施の形態）
また、本発明に係る撮像装置は、デジタルスチイルカメラ以外にも、デジタルビデオカメラ、撮像機能を有するタブレット型携帯機器等の電子機器および内視鏡や顕微鏡で撮像された医療用、産業用分野の画像データに対応する画像を表示する表示装置等にも適用することができる。特に、二つの画像を連続的に比較する場合など、この発明は重要で、特に撮影直後に動きの差異を確認する用途には、非常に便利な考え方となる。あらかじめ撮影してあった基準画像（実施例のように直前画像である必要はなく、お手本画像でもよく、撮影されたものでなくとも、あらかじめ取得してあれば比較可能である）に対して、何が違うかを確認したい場合、まず、今撮影した画像が正しく撮影されたかを判定するステップと、前の基準画像との対比を行う次のステップがシーケンシャルに行われるような用途は、様々な領域で活用が可能となる。もちろん、この場合、動画に限る必要はなく、静止画でも、撮影画像そのものの確認に、基準画像との比較の確認といったステップがあってもユーザにメリットを感じさせる確認方法となる。これは、撮影直後、次の撮影前に確認できることが好ましい。なお、撮影そのものの確認用表示から、繋がり判定用の確認表示に遷移するのは、特定の時間経過後や、特定回数再生後や、特定の操作時や、いろいろな方法が想定される。
【００７９】
また、本発明に係る撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【００８０】
また、本発明に係る撮像装置に実行させるプログラムは、インターネット等のネットワークに接続されたコンピュータ上に格納し、ネットワーク経由でダウンロードさせることにより提供するように構成してもよい。さらに、本発明に係る撮像装置に実行させるプログラムをインターネット等のネットワーク経由で提供または配布するように構成してもよい。
【００８１】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。
【００８２】
このように、本発明は、ここでは記載していない様々な実施の形態を含みうるものであり、特許請求の範囲によって特定される技術的思想の範囲内で種々の設計変更等を行うことが可能である。
【００８３】
（付記項１）
被写体を連続的に撮像し、該被写体の動画データを生成可能な撮像部と、前記動画データに対応する動画を表示可能な表示部と、前記撮像部に前記動画データの生成を開始させる開始信号の入力を受け付ける操作部と、を備えた撮像装置が実行する撮像方法であって、
前記撮像部が撮影して生成した直後の前記動画データに対応する基準動画を前記表示部に表示させる第１表示ステップと、
前記基準動画の再生の後に、前記基準動画と結合可能な結合動画データに対応する結合動画を前記表示部に表示させる第２表示ステップと、
前記操作部を介して前記結合動画と前記基準動画との結合を禁止して前記基準動画を削除する削除信号の入力を受け付ける受付ステップと、
前記入力ステップにおいて前記削除信号の入力を受け付けた場合、前記基準動画を記録媒体または記録部から削除する削除ステップと、
を含むことを特徴とする撮像方法。
【００８４】
本付記項１によれば、撮影直後の撮影結果そのものの確認ステップと、接続再生時の効果を確認する確認ステップとを撮影直後、次の撮影に先だって設けて、ＮＧ時にはすぐに撮り直して、各画像とその連なりの完成度を向上させることができる撮像方法も、本願のカバーするべき技術思想である。
【符号の説明】
【００８５】
１・・・撮像装置；２・・・撮像部；３・・・表示部；４・・・タッチパネル；５・・・操作部；６・・・記録部；７・・・制御部；５１・・・レリーズスイッチ；５２・・・動画スイッチ；５３・・・十字スイッチ；５４・・・ＯＫスイッチ；６１・・・プログラム記録部；６２・・・静止画データ記録部；６３・・・ショートムービー記録部；６４・・・動画データ記録部；７１・・・画像処理部；７２・・・設定部；７３・・・撮影制御部；７４・・・サムネイル生成部；７５・・・記録制御部；７６・・・表示制御部
【図１】
2016125318.tif 000003
【図２】
2016125318.tif 000004
【図３】
2016125318.tif 000005
【図４】
2016125318.tif 000006
【図５】
2016125318.tif 000007
【図６】
2016125318.tif 000008
【図７】
2016125318.tif 000009
【図８】
2016125318.tif 000010
【図９】
2016125318.tif 000011
【図１０】
2016125318.tif 000012
【図１１】
2016125318.tif 000013
【図１２】
2016125318.tif 000014
【図１３】
2016125318.tif 000015
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
被写体を連続的に撮像し、該被写体の動画データを生成可能な撮像部と、
前記動画データに対応する動画を表示可能な表示部と、
撮影時刻が異なる別の前記動画データを結合可能な動画モードで前記撮像部に動画撮影を実行させる撮影制御部と、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成部と、
前記サムネイル生成部が生成した前記サムネイルを前記表示部に表示させる表示制御部と、
前記撮像部に前記動画データの生成を開始させる開始信号の入力を受け付ける操作部と、
を備え、
前記撮影制御部は、前記操作部が前記開始信号の入力を受け付けた場合、前記撮像部に予め設定された時間だけ前記動画データを生成させ、
前記表示制御部は、前記撮像部が前記動画データの生成を終了した場合、該動画データに対応する基準動画を前記表示部に再生して表示させた後に、前記基準動画と結合可能な結合動画データに対応する結合動画を前記表示部に再生して表示させることを特徴とする撮像装置。
【請求項２】
前記結合動画データは、前記基準動画の前に前記撮像部によって生成された前記動画データであり、
前記表示制御部は、前記基準動画と前記結合動画とを前記表示部に繰り返し再生して表示させることを特徴とする請求項１に記載の撮像装置。
【請求項３】
前記操作部は、前記表示部が表示する前記基準動画および前記結合動画の再生順を変更する変更信号の入力を受け付け可能であり、
前記表示制御部は、前記操作部が前記変更信号の入力を受け付けた場合、前記結合動画および前記基準動画の再生順を変更して前記表示部に表示させることを特徴とする請求項１または２に記載の撮像装置。
【請求項４】
当該撮像装置における複数の動画モードを設定する設定部を備え、
前記操作部は、前記撮像部に前記動画データの生成を終了させる終了信号の入力を受け付け可能であり、
前記複数の動画モードは、前記操作部が前記開始信号の入力を受け付けてから前記終了信号の入力を受け付けるまで前記撮像部に前記動画データを生成させる第１動画モードと、前記操作部から前記開始信号が入力されてから予め設定された時間だけ前記撮像部に前記動画データを生成させる第２動画モードであって、異なる撮影時刻に前記撮像部によって生成された複数の前記動画データを結合可能な第２動画モードと、を有し、
前記撮影制御部は、前記設定部が設定した設定内容に応じて、前記撮像部に前記動画データを生成させ、
前記表示制御部は、前記設定部によって当該撮像装置に前記第１動画モードが設定された場合、前記基準動画のみを前記表示部に再生させて表示させる一方、前記設定部によって当該撮像装置に前記第２動画モードが設定された場合、前記第２動画モードで前記撮像部が前記基準動画の前に生成した前記結合動画と前記基準動画とを前記表示部に再生させて表示させることを特徴とする請求項１〜３のいずれか一つに記載の撮像装置。
【請求項５】
前記撮像部によって生成された前記基準動画と該基準動画の前に前記撮像部によって生成された前記結合動画とを結合する画像処理部をさらに備え、
前記操作部は、前記基準動画の再生を停止させる停止信号の入力を受け付け可能であり、
前記画像処理部は、前記操作部が前記停止信号の入力を受け付けた場合、前記基準動画と前記結合動画とを結合することを特徴とする請求項１〜４のいずれか一つに記載の撮像装置。
【請求項６】
前記操作部は、前記結合動画と前記基準動画との結合を禁止して前記基準動画を削除する削除信号の入力を受け付け可能であり、
前記画像処理部は、前記操作部が前記削除信号の入力を受け付けた場合、前記基準動画を削除することを特徴とする請求項４に記載の撮像装置。
【請求項７】
被写体を連続的に撮像し、該被写体の動画データを生成可能な撮像部と、前記動画データに対応する動画を表示可能な表示部と、前記撮像部に前記動画データの生成を開始させる開始信号の入力を受け付ける操作部と、を備えた撮像装置が実行する表示方法であって、
撮影時刻が異なる別の前記動画データを結合可能な動画モードで前記撮像部に動画撮影を実行させる撮影制御ステップと、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、
前記サムネイル生成ステップにおいて生成した前記サムネイルを前記表示部に表示させる表示制御ステップと、
を含み、
前記撮影制御ステップは、前記操作部が前記開始信号の入力を受け付けた場合、前記撮像部に予め設定された時間だけ前記動画データを生成させ、
前記表示制御ステップは、前記撮像部が前記動画データの生成を終了した場合、該動画データに対応する基準動画を前記表示部に再生して表示させた後に、前記基準動画と結合可能な結合動画データに対応する結合動画を前記表示部に再生して表示させることを表示方法。
【請求項８】
被写体を連続的に撮像し、該被写体の動画データを生成可能な撮像部と、前記動画データに対応する動画を表示可能な表示部と、前記撮像部に前記動画データの生成を開始させる開始信号の入力を受け付ける操作部と、を備えた撮像装置に、
撮影時刻が異なる別の前記動画データを結合可能な動画モードで前記撮像部に動画撮影を実行させる撮影制御ステップと、
前記撮像部が生成した前記動画データに基づいて、該動画データを構成する少なくとも一つのフレームの画像データに対して縮小するリサイズ処理を行ってリサイズ画像データを生成し、該リサイズ画像データに対応するリサイズ画像と、別の前記動画データを結合可能なことを示す情報を表示する表示領域を有するテンプレートと、を合成することによって、前記動画データを代表するサムネイルを生成するサムネイル生成ステップと、
前記サムネイル生成ステップにおいて生成した前記サムネイルを前記表示部に表示させる表示制御ステップと、
を実行させ、
前記撮影制御ステップは、前記操作部が前記開始信号の入力を受け付けた場合、前記撮像部に予め設定された時間だけ前記動画データを生成させ、
前記表示制御ステップは、前記撮像部が前記動画データの生成を終了した場合、該動画データに対応する基準動画を前記表示部に再生して表示させた後に、前記基準動画と結合可能な結合動画データに対応する結合動画を前記表示部に再生して表示させることを特徴とするプログラム。
【請求項９】
（削除）
【請求項１０】
（削除）
【請求項１１】
（削除）
【請求項１２】
（削除）
【請求項１３】
（削除）
【国際調査報告】
2016125318.tif 000016
2016125318.tif 000017
2016125318.tif 000018
2016125318.tif 000019